(57)【特許請求の範囲】
【請求項１】
内部が気水分離室と駆動用モータ収納室とに左右に仕切られて前記気水分離室の上部に内部に流体を吸込ませるための吸込口用筒体及び内部に吸込まれた流体を外部に吐出させる吐出口用筒体を設けたポンプケーシング本体と、このポンプケーシング本体の底部開口を封止する深皿状のベースカバーと、前記駆動モータ収納室に収納された駆動モータとを備え、前記駆動モータ収納室の下方に位置して前記ポンプケーシング本体と前記ベースカバーとの間に、前記駆動モータの回転軸に連結したポンプランナーが収納されるポンプランナー収納室と前記吸込口用筒体を吸込水通路及び吸込室を介して連通してなるとともに、前記吸込水通路を、前記気水分離室内を貫き前記ベースカバー内底に向かって延在し、前記ベースカバーに設けた吸水通路用連結筒体と連結される細長筒状体を含む構成とし、かつ、前記吸込室から前記吸込水通路側への流体の逆流を阻止する逆流防止弁を設けてなる自吸式ポンプ装置において、
前記ポンプケーシング本体に設けた吸込口用筒体より延在する吸水通路用連結筒体とポンプケーシング本体との間を第２塞ぎ体で密閉し、細長筒状体とポンプケーシング本体との間を第１塞ぎ体で密閉し、ポンプランナー収納室から前記気水分離室側に吐出した流体が、前記気水分離室内および吸水通路用連結筒体および細長筒状体の周囲に沿って旋回するのを阻止する旋回阻止体を具備することを特徴とする縦型自吸式ポンプ装置。
【発明の詳細な説明】
【技術分野】
【０００１】
本発明は、気水分離を効率よく行わせることのできる自吸式ポンプ装置に関するものである。
【背景技術】
【０００２】
従来、家庭用の全自動洗濯機及び洗濯乾燥機などの洗濯機では、主に節水を目的として風呂水等を洗濯水として利用するため自吸式ポンプ装置を搭載している。この自吸式ポンプ装置としては、吸込口用筒体とポンプランナー収納室とを連結した中継パイプを気水分離室の中央近傍を貫くように配置し、ポンプランナーを囲繞してポンプランナー収納室を形成し、かつポンプランナーの回転遠心力によりポンプランナーの外方へ押しやられる流体をポンプランナー収納室から気水分離室へ吐出させる吐出開口を有する水案内壁部を備え、この吐出開口から吐出した流体の流れが、中継パイプとポンプケーシング本体内側壁の間を通過し、中継パイプの周囲を旋回するようにすることで、気水分離室内を貫く中継パイプを、流体の流れを形の良い縦渦とする案内部材とした構成のものが知られている（例えば、特許文献１）。
【０００３】
【特許文献１】特開２００１−９０６８５号公報
【発明の開示】
【発明が解決しようとする課題】
【０００４】
しかしながら、上記特開２００１−９０６８５号公報に記載された自吸式ポンプ装置の構成では、ポンプランナーの回転によって、水案内壁部の吐出開口から気水分離室側に吐出させた流体の流れが、ポンプケーシング本体内を旋回しながらゆっくりと上昇する縦渦となるため、その流体の流速の変化が生じ難い状態となり、気水分離が効率よく行われないという問題があった。
【０００５】
さらに、上記特開２００１−９０６８５号公報に記載された自吸式ポンプ装置では、流体の流れを形の良い縦渦とする案内部材となるところの気水分離室内を貫く中継パイプを、吸込口用筒体に接続するストレート部、このストレート部の下端から直角に湾曲した湾曲部を有するＬ字状パイプ部、及びこのＬ字状パイプ部の湾曲部の開放部分を取り囲むように形成された逆流防止部からなる第１パイプ部材と、ポンプランナー収納室の下面を構成する平坦面、この平坦面のごく一部を利用して形成するＬ字状パイプ部、及び第１パイプ部材との接続部とからなる第２パイプ部材とから構成するようにしており、複雑な構成としているため、製作性が悪いという問題があった。
【０００６】
本発明は、上記背景技術の現状を鑑みてなされたもので、その主たる目的は、気水分離を効率よく行わせることのできる自吸式ポンプ装置を提供することにある。
【０００７】
本発明の他の目的は、気水分離を効率よく行わせるとともに、吸込口用筒体とポンプランナー収納室との連通を製作性の優れた構成で行い得る自吸式ポンプ装置を提供することにある。
【０００８】
さらに本発明の他の目的は、気水分離を効率よく行わせるとともに、ポンプランナー収納室から気水分離室側に吐出させた流体に含まれる空気が戻し水口からポンプランナー収納室内に流入するのを抑止できる自吸式ポンプ装置を提供することにある。
【０００９】
さらに本発明の他の目的は、簡単な構成で気水分離を効率よく行わせ得る自吸式ポンプ装置を提供することにある。
【００１０】
さらに本発明の他の目的は、気水分離を効率よく行わせるとともに、簡単な構造で吸上げた水の逆流防止が図られる自吸式ポンプ装置を提供することにある。
【００１１】
さらに本発明の他の目的は、気水分離を効率よく行わせるとともに、呼び水の流出を抑止し得る自吸式ポンプ装置を提供することにある。
【課題を解決するための手段】
【００１２】
内部が気水分離室と駆動用モータ収納室とに左右に仕切られて前記気水分離室の上部に内部に流体を吸込ませるための吸込口用筒体及び内部に吸込まれた流体を外部に吐出させる吐出口用筒体を設けたポンプケーシング本体と、このポンプケーシング本体の底部開口を封止する深皿状のベースカバーと、前記駆動モータ収納室に収納された駆動モータとを備え、前記駆動モータ収納室の下方に位置して前記ポンプケーシング本体と前記ベースカバーとの間に、前記駆動モータの回転軸に連結したポンプランナーが収納されるポンプランナー収納室と前記吸込口用筒体を吸込水通路及び吸込室を介して連通してなるとともに、前記吸込水通路を、前記気水分離室内を貫き前記ベースカバー内底に向かって延在し、前記ベースカバーに設けた吸水通路用連結筒体と連結される細長筒状体を含む構成とし、かつ、前記吸込室から前記吸込水通路側への流体の逆流を阻止する逆流防止弁を設けてなる自吸式ポンプ装置において、
前記ポンプケーシング本体に設けた吸込口用筒体より延在する吸水通路用連結筒体とポンプケーシング本体との間を第２塞ぎ体で密閉し、細長筒状体とポンプケーシング本体との間を第１塞ぎ体で密閉し、ポンプランナー収納室から前記気水分離室側に吐出した流体が、前記気水分離室内および吸水通路用連結筒体および細長筒状体の周囲に沿って旋回するのを阻止する旋回阻止体を具備することを特徴とする縦型自吸式ポンプ装置である。
【００１３】
さらに、本発明の他の目的を達成するために、前記ベースカバー内底には、前記細長筒状体の下端側が連結嵌合される吸込水通路用連結筒体と、この吸込水通路用連結筒体に連通した水平弁座部と、この水平弁座部に隣接するところの前記逆流防止弁を取り付けるための逆流防止弁用取り付け凹部と、前記吸込室の外周壁となる立ち上がり外周壁部とを形成するとともに、前記ポンプランナーの回転遠心力により前記ポンプランナーの外方に押しやられた流体を前記ポンプランナー収納室から前記気水分離室側に吐出させる吐出開口を有する渦巻き形状の水案内壁部と前記逆流防止弁を収納する袋状部とを形成した仕切り体を、前記ポンプケーシング本体の外底部と前記立ち上がり外周壁部との間で挟持することで、前記吸込室を形成すると同時に、前記逆流防止弁用取り付け凹部に前記逆流防止弁の取り付け片部を固定保持したことを特徴としている。
【００１４】
さらに、本発明の他の目的を達成するために、前記旋回阻止体を、前記細長筒状体外側壁と前記ポンプケーシング本体内側壁との間の間隙を塞ぐ第１塞ぎ体と、前記ベースカバーの前記吸込水通路用連結筒体外側壁と前記ベースカバーの内側壁との間の間隙を塞ぐ第２塞ぎ体とから構成したことを特徴としている。
【００１５】
さらに、本発明の他の目的を達成するために、前記ポンプランナー収納室から前記気水分離室側に吐出した流体を、前記ポンプランナー収納室の水案内壁部及び前記吸込室の外周壁となる立ち上がり外周壁部の外周を循環させて前記気水分離室側に戻すための循環通路を、前記立ち上がり外周壁部及び前記水案内壁部と前記ベースカバー内側壁との間に形成するとともに、この循環通路を循環する前記流体を前記ポンプランナー収納室内に戻すための戻し水口を、前記循環通路の途中であって前記仕切り体の水案内壁部における下端部分に形成したことを特徴としている。
【００１６】
さらに、本発明の他の目的を達成するために、前記逆流防止弁を、円盤状の弁体部と、この弁体部に一体的に形成された取り付け片部とから構成し、しかも、前記弁体部に重量を、前記ポンプランナーの回転時に前記弁体部が上方に回動することで前記水平弁座部から離れることが可能となる重量に設定し、かつ前記ポンプランナーの回転停止時に、前記弁体部の重量で、その弁体部が下方に回動して前記水平弁座部に押圧されることにより前記吸込室から前記吸込水通路側への流体の逆流を阻止する構成にしたことを特徴としている。
【００１７】
さらに、本発明の他の目的を達成するために、前記吐出口用筒体を、前記仕切り体の水案内壁部の吐出開口から前記気水分離室側に吐出させる流体が衝突する前記第１塞ぎ体の側面とは反対側の前記第１塞ぎ体の側面側外方に位置するところのポンプケーシング本体の上端側に設けたことを特徴としている。
【発明の効果】
【００１８】
本発明によれば、ポンプケーシングに設けた吸込口用筒体より延在する吸水通路用連結筒体とベースカバーとの間を第２塞ぎ体で密閉し、細長筒状体とポンプケーシング本体との間を第1塞ぎ体で密閉する形で吸込水通路となる細長筒状体とポンプケーシング本体内側壁との間に旋回阻止体が形成されているので、ポンプランナー収納室から気水分離室側に吐出した流体が、自吸運転時、直ぐに旋回阻止体に勢いよく衝突して、その流体の流速が急速に低下し、しかも、その旋回阻止体によって、ポンプランナー収納室から気水分離室側に吐出されるところの空気が含まれている流体の流れが、吸込水通路となる細長筒状体の周囲を流速の変化が少ない速度で回転しながらゆっくりと上昇させるところの気水分離を困難にする縦渦にならないため、ポンプランナー収納室から気水分離室側に吐出した流体中に含まれている空気が効率よく気水分離されて、その空気を、ポンプケーシング本体内の上方に移動してポンプケーシング本体の吐出口用筒体から外部に円滑に排出させる縦型自吸式ポンプ装置が得られる。
【００１９】
他の本発明によれば、吐出開口を有する水案内壁部及び逆流防止弁を収納する袋状部を形成した仕切り体を、ポンプケーシング本体の外底と立ち上がり外周壁部との間で挟持することで、吸込室を形成すると同時に、逆流防止弁用取り付け凹部に逆流防止弁の取り付け片部が固定保持されるとともに、吸込水通路用連結筒体に細長筒状体の下端側が連結嵌合されるため、ポンプケーシング本体と仕切り体とベースカバーとの組立を円滑に行うことができる。
【００２０】
他の本発明によれば、旋回阻止体を、細長筒状体外側壁と前記ポンプケーシング本体内側壁との間の間隙を塞ぐ第１塞ぎ体と、ベースカバーの前記吸込水通路用連結筒体外側壁と前記ベースカバーの内側壁との間の間隙を塞ぐ第２塞ぎ体とから構成したので、第１塞ぎ体をポンプケーシング本体の成形時に一体に作ることができ、かつ第２塞ぎ体をベースカバーの成形時に一体に作ることができるので、製作性の向上を図ることができる。
【００２１】
他の本発明によれば、ポンプランナー収納室から気水分離室側に吐出した流体を旋回阻止体に衝突させた後に、その流体を、ポンプランナー収納室の水案内壁部及び吸込室の外周壁となる立ち上がり外周壁部の外周を循環させて気水分離室側に戻すための循環通路を、立ち上がり外周壁部及び前記水案内壁部と前記ベースカバー内側壁との間に形成するとともに、この循環通路を流れる流体をポンプランナー収納室内に戻すための戻し水口を、循環通路の途中であって仕切り体の水案内壁部における下端部分に形成したので、ポンプランナー収納室の吐出開口から気水分離室側に吐出されたところの流体に含まれている空気が、戻し水口からポンプランナー収納室内に戻されることが抑止されるため、自吸性能の低下を防止できる。
【００２２】
他の本発明によれば、逆流防止弁を、円盤状の弁体部と、この弁体部に一体的に形成された取り付け片部とから構成し、しかも、前記弁体部の重量を、ポンプランナーの回転時に前記弁体部が上方に回動することで前記水平弁座部から離れることが可能となる重量に設定し、かつポンプランナーの回転停止時に、前記弁体部の重量で、その弁体部が下方に回動して前記水平弁座部に押圧されるようにしたので、吸込室から吸込水通路側への流体の逆流を確実に阻止することができる自吸式ポンプ装置が得られる。
【００２３】
他の本発明によれば、ポンプケーシング本体の吐出口用筒体を、仕切り体の水案内壁部の吐出開口から気水分離室側に吐出した流体が最初に衝突する第１塞ぎ体の側面とは反対側の第１塞ぎ体の側面側外方に位置するところのポンプケーシング本体の上端側に設けるようにしたので、自吸式ポンプ装置の起動時及び自吸運転時に、ポンプケーシング本体に予め注入させてある呼び水を高速でポンプランナー収納室から気水分離室側に吐出させ、その呼び水が旋回阻止体に勢いよく衝突することにより、その呼び水がポンプケーシング本体内で暴れても、吐出口用筒体からポンプケーシング本体外に吐出して減少することが抑止されるため、自吸性能の低下を防止できる自吸式ポンプ装置が得られる。
【発明を実施するための最良の形態】
【００２４】
以下、本発明の実施形態を、図１〜図２５に基づき、詳説する。図１は、本発明の一実施形態に係わる自吸式ポンプ装置の要部縦断面図である。図２は、本発明の一実施形態に係わる自吸式ポンプ装置全体の分解斜視図である。図３は、本発明の一実施形態に係わる自吸式ポンプ装置の外観斜視図である。図４は、本発明の一実施形態に係わる自吸式ポンプ装置の側面図である。図５は、図４のＡ―Ａ断面図である。図６は、本発明の一実施形態に係わる自吸式ポンプ装置における仕切り体及びベースカバーの分解斜視図である。図７は、本発明の一実施形態に係わる自吸式ポンプ装置のベースカバーの正面図である。図８は、本発明の一実施形態に係わる自吸式ポンプ装置のベースカバーの上面図である。図９は、本発明の一実施形態に係わる自吸式ポンプ装置のベースカバーの下面図である。図１０は、本発明の一実施形態に係わる自吸式ポンプ装置のベースカバーの右面図である。図１１は、本発明の一実施形態に係わる自吸式ポンプ装置のベースカバーの左面図である。図１２は、本発明の一実施形態に係わる自吸式ポンプ装置の仕切り体の上面図である。図１３は、図１２のＢ―Ｂ断面図である。図１４は、本発明の一実施形態に係わる自吸式ポンプ装置の仕切り体の下面図である。図１５は、本発明の一実施形態に係わる自吸式ポンプ装置の仕切り体の左側面図である。図１６は、本発明の一実施形態に係わる自吸式ポンプ装置の正面縮小図である。図１７は、本発明の一実施形態に係わる自吸式ポンプ装置の上面縮小図である。図１８は、本発明の一実施形態に係わる自吸式ポンプ装置の左側面縮小図である。図１９は、本発明の一実施形態に係わる自吸式ポンプ装置の背面縮小図である。図２０は、本発明の一実施形態に係わる自吸式ポンプ装置の下面縮小図である。図２１は、本発明の一実施形態に係わる自吸式ポンプ装置の逆流防止弁の上面図拡大である。図２２は、図２１のＣ−Ｃ断面図である。図２３は、図２１のＤ−Ｄ断面図である。図２４は、本発明の一実施形態に係わる自吸式ポンプ装置におけるポンプケーシング本体の要部横断面図である。図２５は、本発明の一実施形態に係わる自吸式ポンプ装置におけるポンプケーシング本体の要部縦断面図である。
【００２５】
図1〜図２５に示す本発明の一実施形態に係わる自吸式ポンプ装置１は、内部が気水分離室２Ａと駆動モータ収納室２Ｂとに左右に仕切られて気水分離室２Ａの上部に内部に流体を吸い込ませるための吸込口用筒体２Ｃ及び内部に吸い込まれた流体を外部に吐出させる吐出口用筒体２Ｄを設けたポンプケーシング本体２と、このポンプケーシング本体２の底部開口２Ｑの全体を封止する深皿状のベースカバー３と、駆動モータ収納室２Ｂに収納された駆動モータ４とを備え、駆動モータ収納室２Ｂの下方に位置してポンプケーシング本体２の外底部２Ｅとベースカバー３の内底との間に、駆動モータ４の回転軸４Ａに連結した合成樹脂からなるクローズブレードタイプのポンプランナー５が収納されるポンプランナー収納室６を形成して、このポンプランナー収納室６と吸込口用筒体２Ｃを吸込水通路７及び吸込室８を介して連通してなるとともに、吸込水通路７を、気水分離室２Ａ内を貫きベースカバー３内底に向って延在する細長筒状体９を含む構成とし、かつ吸込室８から吸込水通路７側への流体の逆流を阻止する逆流防止弁１０を設ける構成としてある。吸込口用筒体２Ｃ及び吐出口用筒体２Ｄは、ポンプケーシング本体２の上部側面が設けられている。また、気水分離室２Ａ内の細長筒状体９は、駆動モータ収納室２Ｂ側から離れる方向にずらしてある。すなわち、細長筒状体９が気水分離室２の縦長方向の中心よりも駆動モータ収納室２Ｂ側から離れる方向にずらしてある。本実施形態例では、細長筒状体９の駆動モータ収納室２Ｂ側の外側面が、気水分離室２の縦長方向の中心に略一致するように、細長筒状体９を駆動モータ収納室２Ｂ側から離れる方向にずらしてある（図２４及び図２５を参照）。
【００２６】
ポンプケーシング本体２は、合成樹脂製とし、外郭形状を縦長の略箱状としてある。ポンプケーシング本体２の駆動モータ収納室２Ｂの底部分には、図１に示すように、駆動モータ４を支えるために上方に向って突出させた形状とした支え筒部２Ｆと駆動モータ支えリブ２Ｒが設けられている（図２４及び図２５を参照）。支え筒部２Ｆの中央部には、駆動モータ４の回転軸４Ａを挿入するための回転軸挿入開口２Ｓが設けられている。支え筒部２Ｆの外方に位置するところのポンプケーシング本体２の側面には、水抜き孔２Ｇが設けられている。駆動モータ４の回転軸４Ａを支え筒部２Ｆの中央から下方に突出させ、その回転軸４Ａをポンプランナー５の筒状軸部５Ａに圧入することで、ポンプランナー５の筒状軸部５Ａが駆動モータ４の回転軸４Ａに取り付けられる。ポンプランナー５の筒状軸部５Ａと支え筒部２Ｆの内側壁との間には、図１に示すように、円盤状のシール部材（オイルシール）１１が設けられている。この円盤状のシール部材１１によって、ポンプランナー５が収納されるポンプランナー収納室６内から流体が支え筒部２Ｆ側に浸入するのを阻止している。ポンプケーシング本体２の上面には、気水分離室２Ａ内、ポンプランナー収納室６内及び吸込室８内に呼び水を注入するための呼び水口用筒体２Ｈが設けられている。支え筒部２Ｆの内側壁には、円盤状のシール部材１１の位置決めの機能を果たす複数個の位置決めリブ２Ｋが設けられている。水抜き孔２Ｇは、シール部材（オイルシール）１１が損傷することで、万一、ポンプランナー収納室６内から流体が支え筒部２Ｆ側に浸入してきた場合に、その流体をポンプケーシング本体２の外に流出させるものである。ポンプケーシング本体２は、駆動モータ収納室２Ｂ、吸込口用筒体２Ｃ及び細長筒状体９を成形するための上型と、気水分離室２Ａ、後述する旋回阻止体１５の第１塞ぎ体１５Ａ及び支え筒部２Ｆを成形するための下型と、吐出口用筒体２Ｄ及び呼び水口用筒体２Ｈを成形するための右側方型と、水抜き孔２Ｇを成形するための右側方型によって、型抜きすることで、成形することができる。
【００２７】
ポンプケーシング本体２の駆動モータ収納室２Ｂの上端開口２Ｊは、この上端開口２Ｊから駆動モータ収納室２Ｂに駆動モータ４を挿入設置した後、合成樹脂製のモータキャップ１２で蔽うようにしてある。モータキャップ１２は、駆動モータ４の軸方向のがたつきを抑える機能を有している。駆動モータ４の電気的接続体１３は、モータキャップ１２の引出開口１２Ａからポンプケーシング本体２及びモータキャップ１２の外方に突出させてある。吸込口用筒体２Ｃは、ポンプケーシング本体２に取り付けられたモータキャップ１２の上面よりも上方に突出させることで、揚水用の可撓性のある吸水ホース（図示せず）の脱着作業がしやすいようにしてある。モータキャップ１２の外側壁には、ポンプケーシング本体２の外周上部に設けた２個の嵌合穴部２Ｐに着脱可能に嵌め込まれところの２個の係止片１２Ｂが設けられている。
【００２８】
深皿状のベースカバー３は、合成樹脂製とし、そのベースカバー３内には、図１及び図６に示すように、細長筒状体９の下端側が連結嵌合される吸込水通路用連結筒体３Ａと、この吸込水通路用連結筒体３Ａに隣接して設けられる横架平板部３Ｋと、この横架平板部３Ｋに設けられるところの吸込水通路用連結筒体３Ａに連通したリング状の水平弁座部３Ｂと、この水平弁座部３Ｂに隣接して横架平板部３Ｋに設けられるところの逆流防止弁１０を取り付けるための逆流防止弁用取り付け凹部３Ｃと、吸込水通路用連結筒体３Ａから水平弁座部３Ｂまでの連通路３Ｈと、吸込室８の外周壁となる立ち上がり外周壁部３Ｄと、後述する旋回阻止体１５の第２塞ぎ体１５Ｂとが形成されている。立ち上がり外周壁部３Ｄは、図６及び図８に示すように、水平弁座部３Ｂと吸込水通路用連結筒体３Ａとの間に設けられる第１仕切り壁３Ｄ−１と、この仕切り壁に連なって左右に設けた第２仕切り壁３Ｄ−２及び第３仕切り壁３Ｄ−３と、この第２仕切り壁３Ｄ−２及び第３仕切り壁３Ｄ−３に連なる第４仕切り壁３Ｄ−４とからなり、第１仕切り壁３Ｄ−１、第２仕切り壁３Ｄ−２及び第３仕切り壁３Ｄ−３をベースカバー３の内壁に対して平行となる直線形状とし、かつ第４仕切り壁３Ｄ−４を湾曲形状としてある。第１仕切り壁３Ｄ−１は、横架平板部３Ｋ上に一体的に形成されている。第２仕切り壁３Ｄ−２、第３仕切り壁３Ｄ−３及び第４仕切り壁３Ｄ−４は、ベースカバー３の内底に一体的に形成されている。また、細長筒状体９の水通路断面積をＳ１、連通路３Ｈの水通路断面積をＳ２、水平弁座部３Ｂの開口面積をＳ３、連絡開口Ｇの開口面積をＳ４、流入開口１４Ｄの開口面積をＳ５とした場合に、Ｓ１＜Ｓ２＜Ｓ３＜Ｓ４＜Ｓ５となるように設定することで、吸込水通路７及び吸込室８を通る流体の流量が減少しないようにしてある。本実施形態では、連通路３Ｈの水通路断面積Ｓ２を、細長筒状体９の水通路断面積Ｓ１の１．０４倍となるように設定してある。
【００２９】
逆流防止弁１０は、ゴム製であって、図６に示すように、円盤状の弁体部１０Ａと、この弁体部１０Ａに一体的に形成された取り付け片部１０Ｂとからなっている。逆流防止弁１０は、弁体部１０Ａの下面側の平坦面１０Ｅが水平となるように、ベースカバー３の逆流防止弁用取り付け凹部３Ｃに保持させるとともに、弁体部１０Ａが上下方向に開閉可能な構造としてある。逆流防止弁１０は、ポンプランナー５の回転時には、弁体部１０Ａが上方に回動することで水平弁座部３Ｂから離れることが可能となる重量に設定されとともに、ポンプランナー５の回転停止時には、逆流防止弁１０の弁体部１０Ａの重量で、その弁体部１０Ａが下方に回動して水平弁座部３Ｂに押圧させることにより、吸込室８から吸込水通路７側への流体の逆流を阻止するようにしてある。逆流防止弁１０の詳細構造を図２１から図２３に示す。逆流防止弁１０の弁体部１０Ａの上面には、逆流防止弁１０の成形時のヒケ対策のための円形の中央凹部１０Ｃとリング溝１０Ｄが設けられている。
【００３０】
仕切り体１４は、合成樹脂製とし、図１及び図６に示すように、ポンプランナー５の回転遠心力によりそのポンプランナー５の外方に押しやられた流体をポンプランナー収納室６から気水分離室２Ａ側に吐出させる吐出開口１４Ｂを有する渦巻き形状の水案内壁部１４Ａと、逆流防止弁１０を収納するための袋状部１４Ｃと、ポンプランナー５の中央開口５Ｂに対向するように設けられる略ベルマウス状の流入開口１４Ｄと、ベースカバー３の立ち上がり外周壁部３Ｄ（第１仕切り壁３Ｄ−１、第２仕切り壁３Ｄ−２、第３仕切り壁３Ｄ−３及び第４仕切り壁３Ｄ−４）の上端部が嵌めこまれる嵌合溝（凹み部）１４Ｅと、逆流防止弁１０の取り付け片部１０Ｂが逆流防止弁用取り付け凹部３Ｃから抜け出るのを押える押え部１４Ｆが一体に形成されている。仕切り体１４の嵌合溝１４Ｅをベースカバー３の立ち上がり外周壁部３Ｄに嵌め込んだ状態では、図１に示すように、ベースカバー３の水平弁座部３Ｂと仕切り体１４の内側壁との間に、連通路３Ｈ側を流入開口１４Ｄ側に連通させる連絡開口Ｇが形成されるようにしてある。なお、仕切り体１４の嵌合溝１４Ｅの外縁には、ベースカバー３の立ち上がり外周壁部３Ｄのうちの第２仕切り壁３Ｄ−２、第３仕切り壁３Ｄ−３及び第４仕切り壁３Ｄ−４と仕切り体１４の嵌合溝１４Ｅとの水密性を向上させるためのスカート部（裾部）１４Ｇが、一体的に設けられている。また、仕切り体１４の袋状部１４Ｃには、図５、図１２及び図１３などに示すように、その袋状部１４Ｃの側壁のうちの、吸込水通路用連結筒体３Ａ側に面した側壁の中央部分を外方に膨出させた膨出部１４Ｈを設けるようにしてある。これにより、仕切り体１４の袋状部１４Ｃを大きくすることなく、円盤状の弁体部１０Ａが、袋状部１４Ｃの側壁に接触しないで上下動することのできる必要最小限の隙間を、確保できる。
【００３１】
ポンプケーシング本体２及びベースカバー３には、ポンプランナー収納室６から気水分離室２Ａ側に吐出された流体が、吸込水通路７を構成する細長筒状体９の周囲に沿って旋回するのを完全に阻止するための、ポンプケーシング本体２に設けた吸込口用筒体２Ｃより延在する吸水通路用連結筒体３Aとベースカバー3との間を第2塞ぎ体15Bで密閉し、細長筒状体９とポンプケーシング本体２の間を第１塞ぎ体15Aで密閉する形で設けた旋回阻止体１５が形成されている。旋回阻止体１５は、図１に示すように、細長筒状体９とポンプケーシング本体２内側壁との間の間隙を塞ぐ第１塞ぎ体１５Ａと、ベースカバー３の吸込水通路用連結筒体３Ａとベースカバー３の内側壁との間の間隙を塞ぐ第２塞ぎ体１５Ｂとからなっている。第１塞ぎ体１５Ａは、細長筒状体９とポンプケーシング本体２内側壁とを一体的に連結してなる遮蔽板部からなっており、細長筒状体９をポンプケーシング本体２内側壁に近づけて配置することによって、その遮蔽板部の横幅を小さくするようにしてある。第２塞ぎ体１５Ｂは、図５及び図６に示すように、吸込水通路用連結筒体３Ａとベースカバー３の内側壁とを一体的に連結してなる遮蔽板部からなっており、吸込水通路用連結筒体３Ａをベースカバー３の内側壁に近づけて配置することによって、その遮蔽板部の横幅を小さくするようにしてある。本実施形態では、第１塞ぎ体１５Ａを、細長筒状体９とポンプケーシング本体２内側壁との間の隙間全長に亘って形成するようにしてあるとともに、第２塞ぎ体１５Ｂを、吸込水通路用連結筒体３Ａとベースカバー３の内側壁との間の隙間全長に亘って形成するようにしてある。ポンプケーシング本体２の吐出口用筒体２Ｄは、仕切り体１４における水案内壁部１４Ａの吐出開口１４Ｂから気水分離室２Ａ側に吐出させる流体が最初に衝突する第１塞ぎ体１５Ａの側面とは反対側の第１塞ぎ体１５Ａの側面側外方に位置するところのポンプケーシング本体２の上端側に設けるようにしてある。
【００３２】
立ち上がり外周壁部３Ｄ及び水案内壁部１４Ａとベースカバー３の内側壁との間には、ポンプランナー収納室６から気水分離室２Ａ側に吐出した流体を、図５の一点鎖線Ｐ１に示すように、ポンプランナー収納室６の水案内壁部１４Ａ及び吸込室８の外周壁となる立ち上がり外周壁部３Ｄの外周を循環させて気水分離室２Ａ側に戻すための循環通路１６が形成されている。循環通路１６の途中であって仕切り体１４の水案内壁部１４Ａにおける下端部分には、循環通路１６を循環する流体をポンプランナー収納室６内に戻すための戻し水口１７が形成されている。本実施形態では、気水分離室２Ａから最も遠い位置となるように、戻し水口１７が形成されるようにしてある。
【００３３】
気水分離室２Ａ内を貫きベースカバー３内底に向って略垂直に延在する細長筒状体９は、その上端が吸込口用筒体２Ｃに一体的に連なり、かつその下端がベースカバー３の吸込水通路用連結筒体３Ａに連なっている。ベースカバー３の吸込水通路用連結筒体３Ａの内周には、リング状の弾性封止部材（パッキン）１８を載置可能とする段差部３Ｅが形成されている。細長筒状体９は、その細長筒状体９の下端の径小部９Ａを吸込水通路用連結筒体３Ａに挿入した後、その細長筒状体９の径小部９Ａの端面を、弾性封止部材１８を介して吸込水通路用連結筒体３Ａの段差部３Ｅに押圧することで、ベースカバー３の吸込水通路用連結筒体３Ａに水密的に連結される。
【００３４】
本実施形態では、図１に示すように、仕切り体１４をポンプケーシング本体２の外底部２Ｅと立ち上がり外周壁部３Ｄとの間で挟持することにより、細長筒状体９がベースカバー３の吸込水通路用連結筒体３Ａに連結されて吸込室８が形成されると同時に、逆流防止弁用取り付け凹部３Ｃに逆流防止弁１０の取り付け片部１０Ｂを固定保持するようにしてある。この場合、逆流防止弁１０の取り付け片部１０Ｂは、逆流防止弁１０の弁体部１０Ａの重量で、その逆流防止弁１０の弁体部１０Ａの平坦面１０Ｅが、ベースカバー３の水平弁座部３Ｂに押圧されるように、ベースカバー３の逆流防止弁用取り付け凹部３Ｃに取り付けられる。なお、本実施形態では、吸込口用筒体２Ｃから細長筒状体９内及び連通路３Ｈ内を通って水平弁座部３Ｂに至る通路を、吸込水通路７と称し、かつ水平弁座部３Ｂから仕切り体１４の流入開口１４Ｄに至る通路を、吸込室８と称している。
【００３５】
本実施形態では、駆動モータ４を、外郭形状を小判筒状とした小形の整流子モータとしてある。駆動モータ４は、約７０００ｒ／分の回転数が得られるように設定されている。ポンプランナー１０の最外径は、約２６mmに設定されている。細長筒状体９の内径を約１４ｍｍに設定されている。仕切り体１４の流入開口１４Ｄから気水分離室２Ａに向って吐出する流体の流速は、約２ｍ／秒に設定されている。
【００３６】
ポンプケーシング本体２の上面部分には、図２に示すように、吸込口用筒体２Ｃ、吐出口用筒体２Ｄ及び呼び水口用筒体２Ｈが配設されている。ポンプケーシング本体２の吐出口用筒体２Ｄ及び呼び水口用筒体２Ｈは、水平方向（駆動モータ４の回転軸４Ａの軸方向に対して直角の方向）に延在させるように形成されている。ポンプケーシング本体２の上面に形成された吸込口用筒体２Ｃには、その開口端に円筒状のホース取り付け用フランジ２Ｌが形成されている。ポンプケーシング本体２の吸込口用筒体２Ｃには、ホース取り付け用フランジ２Ｌを利用して、揚水用の可撓性のある吸水ホース（図示せず）が着脱可能に取り付けられる。この吸水ホース（図示せず）の自由端側は、浴槽（図示せず）内に投入されている。ポンプケーシング本体２の吸込口用筒体２Ｃの内方には、風呂水に含まれている細塵を除去するフイルター（図示せず）が着脱自在に設けられている。
【００３７】
ポンプケーシング本体２とベースカバー３は、ポンプケーシング本体２の取り付けフランジ２Ｍの端面全周に設けた溶着用リブ２Ｎを、ベースカバー３の取り付けフランジ３Ｆの端面全周に設けた溶着用溝３Ｇに嵌合した後、その溶着用溝３Ｇの全周に予め挿入したステンレス線（接続線）１９に電気を流すことで溶着用リブ２Ｎを溶着用溝３Ｇ内で熱溶着させることにより、一体的化される。
【００３８】
深皿状のベースカバー３の内底に、吸込水通路用連結筒体３Ａとこの水平弁座部３Ｂと逆流防止弁用取り付け凹部３Ｃと立ち上がり外周壁部３Ｄと旋回阻止体１５の第２塞ぎ体１５Ｂとを設けたベースカバー３を形成するには、ベースカバー３の上面側を成形するための上型と、ベースカバー３の下面側を成形するための下型と、吸込水通路用連結筒体３Ａから水平弁座部３Ｂまでの連通路３Ｈを成形するための側方型とによって、成形される。ベースカバー３の側面にできた型抜き開口３Ｊは、栓用弾性封止部材（Ｏリング）２１及び栓部材（キャップ）２０によって、水密的に密閉される。また、仕切り体１４は、水案内壁部１４Ａを設ける側の面を形成するための上型と、嵌合溝１４Ｅを設ける側の面を形成するための下型によって、上下に型抜きすることで、成形することができ、しかも、その上下に型抜きすることによって、吐出開口１４Ｂを水案内壁部１４Ａの側面部分に、かつ戻し水口１７を水案内壁部１４Ａにおける下端部分に、それぞれ容易に設けることができる。
【００３９】
上記実施形態の自吸式ポンプ装置１を使用する場合には、始めに、ポンプケーシング本体２の吸込口用筒体２Ｃに吸水ホース（図示せず）を装着した後、呼び水口用筒体２Ｈから気水分離室２Ａ、ポンプランナー収納室６、吸込室８及び細長筒状体９に、水位Ｌ１（吐出口用筒体２Ｄの下端高さ位置）まで、呼び水を注入する。
【００４０】
次いで、自吸式ポンプ装置１の内部に、呼び水が注入された状態で、駆動モータ４を回転させて、駆動モータ４の回転軸４Ａに設けたポンプランナー５を高速で回転させる。このことにより、ポンプランナー５の中心は負圧となる。そして、ポンプランナー５の中心が負圧になると、この負圧に引かれて、逆流防止弁１０が開き、吸込口用筒体２Ｃに装着された吸水ホース（図示せず）内の空気が、ポンプランナー５側に吸込まれて、呼び水と気水混合された状態となり、ポンプランナー収納室６を高速で通過し、気水分離室２Ａに導かれる。
【００４１】
この場合、空気を含んだ呼び水は、図５の一点鎖線Ｐ２に示すように、ポンプランナー収納室６の狭い空間を通過して吐出開口１４Ｂから気水分離室２Ａに高速で吐出する。吐出開口１４Ｂから吐出した空気を含んだ呼び水は、旋回阻止体１５を構成する第１塞ぎ体１５Ａ及び第２塞ぎ体１５Ｂに衝突して、その呼び水の流速が弱められた状態で気水分離室２Ａの広い部屋部分に導かれて気水分離され、空気のみがポンプケーシング本体２の吐出口用筒体２Ｄから外（大気）に排気される。一方、流速が弱められた呼び水が、立ち上がり外周壁部３Ｄ及び水案内壁部１４Ａとベースカバー３内側壁との間に形成された循環通路１６を通ってその循環通路１６の途中（気水分離室２Ａから最も遠い位置）に設けた戻し水口１７からポンプランナー収納室６内に戻り、吸込口用筒体２Ｃより吸込まれた空気と混合して再び高速で水案内壁部１４Ａの吐出開口１４Ｂから気水分離室２Ａ側に吐出させられる。この動作を繰り返すことで、吸込口用筒体２Ｃに装着された吸水ホース内の空気が完全に排出されて自吸運転が完了する。自吸運転が完了すると、ポンプケーシング本体２の吸込口用筒体２Ｃより揚水された水（風呂水等）が、吸込水通路７及び吸込室８を介してポンプランナー収納室６を構成する水案内壁部１４Ａの吐出開口１４Ｂから気水分離室２Ａに流入して、吐出口用筒体２Ｄから吐出されるようになることで、給水運転が行われるようになる。
【００４２】
給水運転を所望時間実行させた後、駆動モータ４を停止させると、ポンプランナー５の中心の負圧がなくなり、逆流防止弁１０の弁体部１０Ａが重量（自重）で水平弁座部３Ｂに押圧させられることによって、逆流防止弁１０が閉じる。この結果、吸込室８から吸込水通路７側への流体の逆流が確実に阻止され、気水分離室２Ａ及びポンプランナー収納室６内に流体が残った状態が維持させることによって、次回の自吸運転に備えることとなり、一連の自吸運転及び給水運転が終了する。
【００４３】
次に、上記実施形態の自吸式ポンプ装置１の組立手順を、詳説する。
【００４４】
まず、ポンプケーシング本体２の支え筒部２Ｆに、シール部材１１を装着した後、ポンプケーシング本体２の駆動モータ収納室２Ｂに駆動モータ４を挿入してその駆動モータ４の回転軸４Ａを、回転軸挿入開口２Ｓに挿入することにより、支え筒部２Ｆ内に突出させ、その突出させた回転軸４Ａに、ポンプランナー５の軸部を圧入固定し、その後、モータキャップ１２をポンプケーシング本体２の駆動モータ収納室２Ｂの上方に位置するポンプケーシング本体２の上面部分に取り付けることにより、ポンプケーシング本体２側の部組（以下、ポンプケーシング部組と称する。）を完成させる。
【００４５】
次いで、予め、型抜き開口３Ｊを、栓用弾性封止部材（パッキン）２１を介して栓部材２０を溶着等で取り付けることによって密閉してなるベースカバー３内に、逆流防止弁１０に、逆流防止弁１０と弾性封止部材（パッキン）１８を装着する。すなわち、ベースカバー３の吸込水通路用連結筒体３Ａ内に弾性封止部材（パッキン）１８を挿入するとともに、ベースカバー３の逆流防止弁用取り付け凹部３Ｃ内に逆流防止弁１０の取り付け片部１０Ｂを挿入する
【００４６】
次いで、仕切り体１４の下面に形成した嵌合溝１４Ｅを、立ち上がり外周壁部３Ｄの上端に嵌め合わせることにより、仕切り体１４をベースカバー３の立ち上がり外周壁部３Ｄに装着することで、逆流防止弁１０の取り付け片部１０Ｂを、仕切り体１４の押え部１４Ｆと逆流防止弁用取り付け凹部３Ｃが設けられる横架平板部３Ｋとの間で挟持させることによって、逆流防止弁１０の取り付け片部１０Ｂを逆流防止弁用取り付け凹部３Ｃに固定保持させた後、ベースカバー３の溶着用溝３Ｇの全周にステンレス線１９を挿入することで、ベースカバー３側の部組（以下、ベースカバー部組と称する。）を完成させる。
【００４７】
次いで、ポンプケーシング本体２における細長筒状体９の径小部９Ａを、ベースカバー３の吸込水通路用連結筒体３Ａ内に嵌合させるとともに、ポンプケーシング本体２の溶着用リブ２Ｎをベースカバー３の溶着用溝３Ｇに嵌合することで、ポンプケーシング部組をベースカバー部組に組み込む。
【００４８】
最後に、ポンプケーシング本体２の取り付けフランジ２Ｍとベースカバー３の取り付けフランジを、そのベースカバー３の溶着用溝３Ｇに挿入されているステンレス線１９に電気を通電することによって溶着させることで、ポンプケーシング部組と、ベースカバー部組が水密的に一体となり、自吸式ポンプ装置１の組立作業が終了する。
【００４９】
上記実施形態の自吸式ポンプ装置１の組立手順によれば、すべての部品の組立作業を、流れ作業で円滑に難なく行うことができ、自吸式ポンプ装置１の製作性を向上させることができる。
【００５０】
さらに、上記実施形態の自吸式ポンプ装置１によれば、呼び水に混合された空気を分離してポンプケーシング本体２の吐出口用筒体２Ｄ及び呼び水口用筒体２Ｈから効率よく排出されるとともに、ポンプケーシング本体２内の呼び水が吐出口用筒体２Ｄからポンプケーシング本体２外に吐出して減少するのを抑えることができる。
【００５１】
さらに、上記実施形態の自吸式ポンプ装置１によれば、上下の型抜きで、仕切り体１４の水案内壁部１４Ａにおける下端部分に戻し水口１７及び吐出開口１４Ｂを、簡単に作ることができるので、製作性がよい。また、仕切り体１４は、流防止弁１０の弁体部１０Ａを水平に配設することで、逆流防止弁１０を収納するための袋状部１４Ｃの高さを、水案内壁部１４Ａの高さと同一に設定することができるとともに、嵌合溝１４Ｅを立ち上がり外周壁部３Ｄに嵌め込むことによって吸込室８が形成されるようにしたので、小形にすることができる。
【００５２】
さらに、上記実施形態の自吸式ポンプ装置１によれば、気水分離室２Ａに面する側ではなく気水分離室２Ａから最も遠い循環通路１６の途中に戻し水口１７を設けるようにしたので、流体に含まれる空気が戻し水口１７からポンプランナー収納室６内に戻ることを抑止することができる。また、循環通路１６をベースカバー３の内底に沿って形成させることができ、かつ水案内壁部１４Ａの吐出開口１４Ｂの高さ位置を、ベースカバー３内に設定することができるので、水案内壁部１４Ａの吐出開口１４Ｂからポンプケーシング本体２の吐出口用筒体２Ｄまでの距離を大きく設定することができるため、気水分離が効率よく行われる。
【００５３】
さらに、上記実施形態の自吸式ポンプ装置１によれば、ポンプランナー収納室６と吸込口用筒体２Ｃを連通させるところの細長筒状体９を、気水分離室２Ａ内を貫きベースカバー３内底に形成した吸込室８に連通させるようにしたので、ポンプケーシング本体２及びベースカバー３を小形にまとめることができる。
【００５４】
さらに、上記実施形態の自吸式ポンプ装置１によれば、ベースカバー３の水平弁座部３Ｂの上面と逆流防止弁１０の弁体部１０Ａの下面がともに水平となるので、水平弁座部３Ｂ全体に、逆流防止弁１０の弁体部１０Ａが略均一に強く押し付けられるため、吸込室８から吸込水通路７を介して吸込口用筒体２Ｃ側への水の逆流を確実に阻止することができる。また、気水分離室２Ａ内の細長筒状体９を、駆動モータ収納室２Ｂ側から離れる方向にずらしてあるので、逆流防止弁１０の弁体部１０Ａを水平に配設するための水平方向の配置寸法を、ポンプケーシング本体２の外形寸法を大きくすることなく、確保できる。
【００５５】
さらに、上記実施形態の自吸式ポンプ装置１では、逆流防止弁１０によって、自吸後、ポンプランナー５の回転を停止させた場合に、吸込室８の水が吸水口２Ｃ側に逆流することなく、吸込室８及びポンプランナー収納室６に水が満たされているため、再度、ポンプランナー５を回転させると、例えば、浴槽（風呂）から洗濯槽への風呂水（洗濯水）の給水を、直ちに行わせることができので、洗濯作業において、洗濯工程終了後、給水工程を経由してすすぎ工程に移行する場合に、ポンプ自吸運転時間を要することなく、給水開始指令と同時に洗濯槽への風呂水（洗濯水）の給水を行わせることができ、洗濯作業時間を短縮させることができる。
【００５６】
さらに、上記実施形態の自吸式ポンプ装置１によれば、ポンプランナー５の回転を停止した状態で、呼び水口用筒体２Ｈから気水分離室、ポンプランナー収納室６及び吸込室８内に流入させた水道水を、吐出口用筒体２Ｄから供給パイプ（図示せず）を介して洗濯槽（図示せず）へ流出させるようにした場合であっても、逆流防止弁１０が確実に閉じており、その水道水が吸込室８側から吸込水通路７を介してポンプケーシング本体２の外に溢れてしまうことがない。
【００５７】
上記実施形態の自吸式ポンプ装置１は、ポンプケーシング本体２に呼び水口用筒体を設ける構成としているが、本発明は、これに限定されない。呼び水口用筒体を設けないポンプケーシング本体としたポンプ装置であっても、本発明を採用することができる。また、上記実施形態例では、呼び水を水道水とし、かつ給水されるものを風呂水としたが、これに限定されるものではなく、他の流体を自吸運転及び給水運転させる場合にも、本発明を適用できる。また、本発明は、上記実施形態例では、自吸式ポンプ装置１を、風呂水を洗濯槽に給水するための風呂水給水装置として利用した場合について説明しているが、これに限定されることなく、要旨を逸脱しない範囲内で適宜変更して実施し得る。
【図面の簡単な説明】
【００５８】
【図１】本発明の一実施形態に係わる自吸式ポンプ装置の要部縦断面図である。
【図２】本発明の一実施形態に係わる自吸式ポンプ装置全体の分解斜視図である。
【図３】本発明の一実施形態に係わる自吸式ポンプ装置の外観斜視図である。
【図４】本発明の一実施形態に係わる自吸式ポンプ装置の右側面図である。
【図５】図４のＡ―Ａ断面図である。
【図６】本発明の一実施形態に係わる自吸式ポンプ装置における仕切り体及びベースカバーを分解した状態を上方から見た斜視図である。
【図７】本発明の一実施形態に係わる自吸式ポンプ装置におけるベースカバーの正面図である。
【図８】本発明の一実施形態に係わる自吸式ポンプ装置におけるベースカバーの上面図である。
【図９】本発明の一実施形態に係わる自吸式ポンプ装置におけるベースカバーの下面図である。
【図１０】本発明の一実施形態に係わる自吸式ポンプ装置におけるベースカバーの右面図である。
【図１１】本発明の一実施形態に係わる自吸式ポンプ装置におけるベースカバーの左面図である。
【図１２】本発明の一実施形態に係わる自吸式ポンプ装置における仕切り体の上面図である。
【図１３】図１２のＢ―Ｂ断面図である。
【図１４】本発明の一実施形態に係わる自吸式ポンプ装置における仕切り体の下面図である。
【図１５】本発明の一実施形態に係わる自吸式ポンプ装置における仕切り体の左側面図である。
【図１６】本発明の一実施形態に係わる自吸式ポンプ装置の正面縮小図である。
【図１７】本発明の一実施形態に係わる自吸式ポンプ装置の上面縮小図である。
【図１８】本発明の一実施形態に係わる自吸式ポンプ装置の左側面縮小図である。
【図１９】本発明の一実施形態に係わる自吸式ポンプ装置の背面縮小図である。
【図２０】本発明の一実施形態に係わる自吸式ポンプ装置の下面縮小図である。
【図２１】本発明の一実施形態に係わる自吸式ポンプ装置における逆流防止弁の上面拡大図である。
【図２２】図２１のＣ―Ｃ断面図である。
【図２３】図２１のＤ―Ｄ断面図である。
【図２４】本発明の一実施形態に係わる自吸式ポンプ装置におけるポンプケーシング本体の要部横断面図である。
【図２５】本発明の一実施形態に係わる自吸式ポンプ装置におけるポンプケーシング本体の要部縦断面図である。
【符号の説明】
【００５９】
１    自吸式ポンプ装置
２    ポンプケーシング本体
２Ａ  気水分離室
２Ｂ  駆動モータ収納室
２Ｃ  吸込口用筒体
２Ｄ  吐出口用筒体
２Ｅ  外底部
２Ｆ  支え筒部
２Ｇ  水抜き孔
２Ｈ  呼び水口用筒体
２Ｊ  上端開口
２Ｋ  位置決めリブ
２Ｌ  ホース取り付け用フランジ
２Ｍ  取り付けフランジ
２Ｎ  溶着用リブ
２Ｐ  嵌合穴部
２Ｑ  底部開口
２Ｒ  駆動モータ支えリブ
２Ｓ  回転軸挿入開口
３    ベースカバー
３Ａ  吸込水通路用連結筒体
３Ｂ  水平弁座部
３Ｃ  逆流防止弁用取り付け凹部
３Ｄ  立ち上がり外周壁部
３Ｄ−１  第１仕切り壁
３Ｄ−２  第２仕切り壁
３Ｄ−３  第３仕切り壁
３Ｄ−４  第４仕切り壁
３Ｅ  段差部
３Ｆ  取り付けフランジ
３Ｇ  溶着用溝
３Ｈ  連通路
３Ｊ  型抜き開口
３Ｋ  横架平板部
４    駆動モータ
４Ａ  回転軸
５    ポンプランナー
５Ａ  筒状軸部
５Ｂ  中央開口
６    ポンプランナー収納室
７    吸込水通路
８    吸込室
９    細長筒状体
９Ａ  径小部
１０  逆流防止弁
１０Ａ  弁体部
１０Ｂ  取り付け片部
１０Ｃ  中央凹部
１０Ｄ  リング溝
１０Ｅ  平坦面
１１  円盤状のシール部材
１２  モータキャップ
１２Ａ  引出用切り欠き
１２Ｂ  係止片
１３  電気的接続体
１４  仕切り体
１４Ａ  水案内壁部
１４Ｂ  吐出開口
１４Ｃ  袋状部
１４Ｄ  流入開口
１４Ｅ  嵌合溝
１４Ｆ  押え部
１４Ｇ  スカート部
１４Ｈ  膨出部
１５  旋回阻止体
１５Ａ  第１塞ぎ体
１５Ｂ  第２塞ぎ体
１６  循環通路
１７  戻し水口
１８  弾性封止部材
１９  ステンレス線
２０  栓部材
２１  栓用弾性封止部材
Ｇ  連絡開口
Ｌ１  水位
【図１】
0004417992.tif 000002
【図２】
0004417992.tif 000003
【図３】
0004417992.tif 000004
【図４】
0004417992.tif 000005
【図５】
0004417992.tif 000006
【図６】
0004417992.tif 000007
【図７】
0004417992.tif 000008
【図８】
0004417992.tif 000009
【図９】
0004417992.tif 000010
【図１０】
0004417992.tif 000011
【図１１】
0004417992.tif 000012
【図１２】
0004417992.tif 000013
【図１３】
0004417992.tif 000014
【図１４】
0004417992.tif 000015
【図１５】
0004417992.tif 000016
【図１６】
0004417992.tif 000017
【図１７】
0004417992.tif 000018
【図１８】
0004417992.tif 000019
【図１９】
0004417992.tif 000020
【図２０】
0004417992.tif 000021
【図２１】
0004417992.tif 000022
【図２２】
0004417992.tif 000023
【図２３】
0004417992.tif 000024
【図２４】
0004417992.tif 000025
【図２５】
0004417992.tif 000026